(57)【要約】【課題】情報端末装置の表示画面に表示されているコンテンツを画像読取り装置で読取って記録用紙に印刷し、コンテンツの複写を簡単かつ短時間に行うことを可能にする。【解決手段】情報端末装置１を画像読取り装置５１の原稿載置板５４の定位置に載置して、画像読取り装置５１の第１走査ユニット５５を原稿載置板５４を介して情報端末装置１の表示画面３ａと対峙する位置まで移動させて位置決めし、第１走査ユニット５５の光源６１により情報端末装置１の表示画面３ａを原稿載置板５４を介して照明し、ＣＣＤ５８により表示画面３ａのコンテンツを読取っている。また、情報端末装置１の表示画面３ａの縦方向を副走査方向Ｙに一致させ、この状態で情報端末装置１の表示画面３ａのコンテンツが副走査方向Ｙに移動表示されるような表示制御を行って、コンテンツの副走査方向の移動速度をＣＣＤ５８による主走査方向の読取り繰返し速度と同期させている。【選択図】図６
2012104873.tif 000002
【特許請求の範囲】
【請求項１】
原稿が載置された透明な原稿載置板を介して前記原稿を読取る画像読取り装置と、情報端末装置とを備えた複写システムであって、
前記画像読取り装置は、前記原稿を前記原稿載置板を介して読取る読取り部を備え、前記情報端末装置が前記原稿載置板の定位置に載置されると、前記原稿載置板を介して前記情報端末装置の表示画面と対峙する位置に前記読取り部を移動して位置決めし、前記読取り部により前記情報端末装置の表示画面に表示されているコンテンツを読取り、
前記情報端末装置は、該情報端末装置の表示画面にコンテンツの少なくとも一部を表示し、コンテンツの移動に伴って前記読取り部により読取られるコンテンツの部分が順次変更されるような表示制御を行う制御部を備え、
前記画像読取り装置の読取り部による読取り速度と前記情報端末装置の制御部によるコンテンツの移動表示速度とを同期させたことを特徴とする複写システム。
【請求項２】
請求項１に記載の複写システムであって、
前記画像読取り装置の読取り部は、前記情報端末装置の表示画面と対峙する位置まで副走査方向に移動されて位置決めされ、前記情報端末装置の表示画面のコンテンツを主走査方向に繰返し読取り、
前記情報端末装置の制御部は、該情報端末装置の表示画面にコンテンツの少なくとも一部を表示し、コンテンツの副走査方向の移動に伴って前記読取り部により読取られるコンテンツの部分が順次変更されるような表示制御を行い、
前記画像読取り装置の読取り部による主走査方向の読取り繰返し速度と前記情報端末装置の制御部によるコンテンツの移動表示速度とを同期させたことを特徴とする複写システム。
【請求項３】
請求項２に記載の複写システムであって、
前記情報端末装置の制御部は、該情報端末装置の表示画面における矩形状窓領域にコンテンツの一部を表示し、コンテンツの副走査方向への移動に伴って前記矩形状窓領域に表示されるコンテンツ部分が順次変更されるような表示制御を行うことを特徴とする複写システム。
【請求項４】
請求項１又は２に記載の複写システムであって、
前記情報端末装置の制御部は、該情報端末装置の表示画面にコンテンツをスクロール表示することを特徴とする複写システム。
【請求項５】
請求項２に記載の複写システムであって、
前記情報端末装置の制御部は、前記読取り部による主走査方向の読取り繰返し速度と同期するようにコンテンツの移動表示速度を調節設定することを特徴とする複写システム。
【請求項６】
請求項１〜５のいずれか１つに記載の複写システムであって、
前記画像読取り装置は、前記情報端末装置が載置される前記原稿載置板の定位置を示す指標を有することを特徴とする複写システム。
【請求項７】
請求項１〜６のいずれか１つに記載の複写システムであって、
前記画像読取り装置は、画像形成装置に搭載され、
前記画像形成装置は、前記画像読取り装置の読取部により読取られた前記情報端末装置の表示画面のコンテンツを記録用紙に記録することを特徴とする複写システム。
【請求項８】
請求項７に記載の複写システムであって、
前記情報端末装置の制御部は、前記情報端末装置の表示画面のコンテンツの移動表示に係る制御情報を該情報端末装置の表示画面に表示し、
前記画像形成装置は、前記画像読取り装置の読取り部により前記コンテンツ及び前記制御情報を読取り、前記制御情報に基づき前記コンテンツを処理することを特徴とする複写システム。
【請求項９】
請求項８に記載の複写システムであって、
前記制御情報は、前記情報端末装置の表示画面のコンテンツの移動表示の開始タイミング及び終了タイミングを示し、
前記画像形成装置は、前記画像読取り装置の読取り部により前記コンテンツ及び前記制御情報を読取り、前記制御情報に基づき前記コンテンツを取り込むことを特徴とする複写システム。
【請求項１０】
請求項７に記載の複写システムであって、
前記情報端末装置の制御部は、コンテンツ全体を複数のコンテンツ片に分割し、前記各コンテンツ片毎に、表示画面にコンテンツ片の少なくとも一部を表示し、コンテンツ片の副走査方向の移動に伴って前記読取り部により読取られるコンテンツ片の部分が順次変更されるような表示制御を行い、前記各コンテンツ片の移動表示に係る制御情報を該情報端末装置の表示画面に表示し、
前記画像形成装置は、前記画像読取り装置の読取り部により前記各コンテンツ片及び前記制御情報を読取り、前記制御情報に基づき前記各コンテンツ片を合成して、前記コンテンツ全体を形成することを特徴とする複写システム。
【請求項１１】
原稿が載置された透明な原稿載置板を介して前記原稿を読取る画像読取り装置であって、
前記原稿を前記原稿載置板を介して読取る読取り部を備え、
情報端末装置が前記原稿載置板の定位置に載置されると、前記原稿載置板を介して前記情報端末装置の表示画面と対峙する位置に前記読取り部を移動して位置決めし、前記読取り部により前記情報端末装置の表示画面に表示されているコンテンツを読取ることを特徴とする画像読取り装置。
【請求項１２】
表示画面上でコンテンツが移動表示されるような表示制御を行う情報端末装置であって、
前記表示画面のコンテンツの移動表示速度を、原稿が載置された透明な原稿載置板を介して前記原稿を読取る画像読取り装置の読取り速度と同期させる制御部を備え、
前記コンテンツの移動表示に係る制御情報を前記表示画面に表示することを特徴とする情報端末装置。
【発明の詳細な説明】
【技術分野】
【０００１】
本発明は、情報端末装置の表示画面に表示されているコンテンツを画像形成装置で記録用紙に記録する複写システム、画像読取り装置、及び情報端末装置に関する。
【背景技術】
【０００２】
携帯電話機、電子手帳、電子辞書等の情報端末装置においては、文字や図形等を入力して、テキスト等のコンテンツを作成したり、コンテンツをメモリから読み出して、これらのコンテンツを表示画面に表示することができる。
【０００３】
また、特許文献１では、そのような情報端末装置の表示画面が小さいことから、コンテンツを一定速度でスクロール表示して、コンテンツ全体を表示するようにしている。
【先行技術文献】
【特許文献】
【０００４】
【特許文献１】特開２００１−２８２４１４号公報
【発明の概要】
【発明が解決しようとする課題】
【０００５】
ところで、情報端末装置の表示画面にコンテンツを表示するだけではなく、コンテンツを記録用紙に印刷したいことがある。この場合は、情報端末装置を有線又は無線でコンピュータに接続して、コンテンツを情報端末装置からコンピュータへと送受し、コンテンツをコンピュータからプリンタもしくは複合機等の画像形成装置へと転送して、コンテンツを画像形成装置で印刷していた。
【０００６】
しかしながら、そのような情報端末装置からコンピュータを介して画像形成装置へのコンテンツの転送には手間と時間を要した。
【０００７】
そこで、本発明は、上記課題を解決するためになされたものであり、情報端末装置の表示画面に表示されているコンテンツを画像読取り装置で読取って記録用紙に印刷し、コンテンツの複写を簡単かつ短時間に行うことが可能な複写システム、画像読取り装置、及び情報端末装置を提供することを目的とする。
【課題を解決するための手段】
【０００８】
上記課題を解決するために、本発明の複写システムは、原稿が載置された透明な原稿載置板を介して前記原稿を読取る画像読取り装置と、情報端末装置とを備えた複写システムであって、前記画像読取り装置は、前記原稿を前記原稿載置板を介して読取る読取り部を備え、前記情報端末装置が前記原稿載置板の定位置に載置されると、前記原稿載置板を介して前記情報端末装置の表示画面と対峙する位置に前記読取り部を移動して位置決めし、前記読取り部により前記情報端末装置の表示画面に表示されているコンテンツを読取り、前記情報端末装置は、該情報端末装置の表示画面にコンテンツの少なくとも一部を表示し、コンテンツの移動に伴って前記読取り部により読取られるコンテンツの部分が順次変更されるような表示制御を行う制御部を備え、前記画像読取り装置の読取り部による読取り速度と前記情報端末装置の制御部によるコンテンツの移動表示速度とを同期させている。
【０００９】
このように画像読取り装置においては、原稿載置板を介して情報端末装置の表示画面と対峙する位置に読取り部を移動して位置決めするので、読取り部により情報端末装置の表示画面に表示されているコンテンツを読取ることができる。
【００１０】
また、情報端末装置の表示画面上でコンテンツの少なくとも一部が表示され、コンテンツが移動表示されるような表示制御を行い、画像読取り装置の読取り部による読取り速度と情報端末装置の制御部によるコンテンツの移動表示速度とを同期させているので、読取り部により情報端末装置の表示画面に移動表示されているコンテンツを順次読取ることができる。更に、表示画面よりも大きなサイズのコンテンツを読取ることができる。この読取ったコンテンツは、プリンタや複合機等の画像形成装置で直ちに記録用紙に記録することができる。
【００１１】
例えば、前記画像読取り装置の読取り部は、前記情報端末装置の表示画面と対峙する位置まで副走査方向に移動されて位置決めされ、前記情報端末装置の表示画面のコンテンツを主走査方向に繰返し読取り、前記情報端末装置の制御部は、該情報端末装置の表示画面にコンテンツの少なくとも一部を表示し、コンテンツの副走査方向の移動に伴って前記読取り部により読取られるコンテンツの部分が順次変更されるような表示制御を行い、前記画像読取り装置の読取り部による主走査方向の読取り繰返し速度と前記情報端末装置の制御部によるコンテンツの移動表示速度とを同期させている。
【００１２】
あるいは、前記情報端末装置の制御部は、該情報端末装置の表示画面における矩形状窓領域にコンテンツの一部を表示し、コンテンツの副走査方向への移動に伴って前記矩形状窓領域に表示されるコンテンツ部分が順次変更されるような表示制御を行っている。
【００１３】
あるいは、前記情報端末装置の制御部は、該情報端末装置の表示画面にコンテンツをスクロール表示している。
【００１４】
また、本発明の複写システムにおいて、前記情報端末装置の制御部は、前記読取り部による主走査方向の読取り繰返し速度と同期するようにコンテンツの移動表示速度を調節設定している。
【００１５】
このように情報端末装置側で読取り部による主走査方向の読取り繰返し速度と同期するようにコンテンツの移動表示速度を調節設定してもよい。
【００１６】
更に、本発明の複写システムにおいて、前記画像読取り装置は、前記情報端末装置が載置される前記原稿載置板の定位置を示す指標を有している。
【００１７】
これにより、情報端末装置が原稿載置板の定位置に確実に載置される。
【００１８】
また、本発明の複写システムにおいて、前記画像読取り装置は、画像形成装置に搭載され、
前記画像形成装置は、前記画像読取り装置の読取部により読取られた前記情報端末装置の表示画面のコンテンツを記録用紙に記録している。
【００１９】
この場合は、情報端末装置の表示画面のコンテンツを読取るだけではなく記録用紙に記録することができる。
【００２０】
更に、本発明の複写システムにおいて、前記情報端末装置の制御部は、前記情報端末装置の表示画面のコンテンツの移動表示に係る制御情報を該情報端末装置の表示画面に表示し、前記画像形成装置は、前記画像読取り装置の読取り部により前記コンテンツ及び前記制御情報を読取り、前記制御情報に基づき前記コンテンツを処理している。
【００２１】
この場合は、情報端末装置から画像読取り装置を介して画像形成装置へとコンテンツ及び制御情報が伝達され、画像形成装置側で制御情報に基づくコンテンツの多様な処理が可能になる。
【００２２】
例えば、前記制御情報は、前記情報端末装置の表示画面のコンテンツの移動表示の開始タイミング及び終了タイミングを示し、前記画像形成装置は、前記画像読取り装置の読取り部により前記コンテンツ及び前記制御情報を読取り、前記制御情報に基づき前記コンテンツを取り込む。
【００２３】
あるいは、前記情報端末装置の制御部は、コンテンツ全体を複数のコンテンツ片に分割し、前記各コンテンツ片毎に、表示画面にコンテンツ片の少なくとも一部を表示し、コンテンツ片の副走査方向の移動に伴って前記読取り部により読取られるコンテンツ片の部分が順次変更されるような表示制御を行い、前記各コンテンツ片の移動表示に係る制御情報を該情報端末装置の表示画面に表示し、前記画像形成装置は、前記画像読取り装置の読取り部により前記各コンテンツ片及び前記制御情報を読取り、前記制御情報に基づき前記各コンテンツ片を合成して、前記コンテンツ全体を形成する。
【００２４】
一方、本発明の画像読取り装置は、原稿が載置された透明な原稿載置板を介して前記原稿を読取る画像読取り装置であって、前記原稿を前記原稿載置板を介して読取る読取り部を備え、情報端末装置が前記原稿載置板の定位置に載置されると、前記原稿載置板を介して前記情報端末装置の表示画面と対峙する位置に前記読取り部を移動して位置決めし、前記読取り部により前記情報端末装置の表示画面に表示されているコンテンツを読取る。
【００２５】
このような本発明の画像読取り装置においては、原稿載置板を介して情報端末装置の表示画面と対峙する位置に読取り部を移動して位置決めするので、読取り部により情報端末装置の表示画面に表示されているコンテンツを読取ることができる。
【００２６】
また、本発明の情報端末装置は、表示画面上でコンテンツが移動表示されるような表示制御を行う情報端末装置であって、前記表示画面のコンテンツの移動表示速度を、原稿が載置された透明な原稿載置板を介して前記原稿を読取る画像読取り装置の読取り速度と同期させる制御部を備え、前記コンテンツの移動表示に係る制御情報を前記表示画面に表示する。
【００２７】
このような本発明の情報端末装置においては、表示画面上でコンテンツを移動表示し、画像読取り装置による読取り速度と情報端末装置の制御部による移動表示速度とを同期させているので、画像読取り装置により情報端末装置の表示画面に移動表示されているコンテンツを順次読取ることができる。また、情報端末装置から画像読取り装置へとコンテンツ及び制御情報が伝達され、制御情報に基づくコンテンツの多様な処理が可能になる。
【発明の効果】
【００２８】
本発明によれば、画像読取り装置においては、原稿載置板を介して情報端末装置の表示画面と対峙する位置に読取り部を移動して位置決めするので、読取り部により情報端末装置の表示画面に表示されているコンテンツを読取ることができる。
【００２９】
また、情報端末装置の表示画面上でコンテンツを移動表示し、画像読取り装置の読取り部による読取り速度と情報端末装置の制御部によるコンテンツの移動表示速度とを同期させているので、読取り部により情報端末装置の表示画面に移動表示されているコンテンツを順次読取ることができる。更に、表示画面よりも大きなサイズのコンテンツを読取ることができる。この読取ったコンテンツは、プリンタや複合機等の画像形成装置で直ちに記録用紙に記録することができる。
【図面の簡単な説明】
【００３０】
【図１】本発明の複写システムを概略的に示す斜視図である。
【図２】本実施形態の複写システムにおける情報端末装置を概略的に示す平面図である。
【図３】情報端末装置の構成を示すブロック図である。
【図４】本実施形態の複写システムにおける画像形成装置（複合機）を示す断面図である。
【図５】画像形成装置の構成を示すブロック図である。
【図６】（ａ）、（ｂ）は、情報端末装置を画像読取り装置の原稿載置板の定位置に載置した状態を示す平面図及び断面図である。
【図７】複数種の情報端末装置の型番と各情報端末装置の表示画面の位置とを対応付けて記録した表示画面位置データテーブルを示す図である。
【図８】画像読取り装置の原稿載置板の定位置を示す指標の変形例を示す平面図である。
【図９】情報端末装置の表示画面におけるコンテンツの移動表示形態を例示する図である。
【図１０】複数種の画像読取り装置もしくは画像形成装置の型番と各原稿読取りの副走査方向速度とを対応付けて記録した移動表示速度データテーブルを示す図である。
【図１１】（ａ）はコンテンツ全体を例示する図であり、（ｂ）は３つに分割された各コンテンツ片を例示する図である。
【図１２】（ａ）〜（ｃ）は３つのコンテンツ片と制御情報の表示手順を示す図であり、（ｄ）〜（ｆ）は３つのコンテンツ片の合成手順を示す図である。
【図１３】情報端末装置の表示画面上でコンテンツを移動表示するための情報端末装置側の手順を示すフローチャートである。
【図１４】情報端末装置の表示画面に表示されているコンテンツを画像読取り装置で読取って画像形成装置で記録用紙に印刷するための画像形成装置側の手順を示すフローチャートである。
【発明を実施するための形態】
【００３１】
以下、本発明の実施形態を添付図面を参照して詳細に説明する。
【００３２】
図１は、本発明の複写システムを概略的に示す斜視図である。本実施形態の複写システムでは、原稿を透明な原稿載置板５４を介して読取る画像読取り装置５１を搭載した画像形成装置Ａと、情報端末装置１とを備えている。画像読取り装置５１は、原稿だけではなく、原稿載置板５４に載置された情報端末装置１の表示画面に表示されているコンテンツも読取る。画像形成装置Ａは、画像読取り装置５１により読取られた表示画面のコンテンツを記録用紙に印刷記録する。
【００３３】
図２は、本実施形態の複写システムにおける情報端末装置１を概略的に示す平面図である。情報端末装置１は、電子手帳、電子辞書等の携帯型の情報端末装置であり、本体筐体２の表側に液晶表示装置３の表示画面３ａが配置され、本体筐体２の表側等に複数の操作キー４が配置されている。液晶表示装置３の表示画面３ａには透明なタッチパネル（図示せず）が重ねられており、表示画面３ａに表示された操作ボタン等が指示されると、この指示された操作ボタン等がタッチパネルで検出される。
【００３４】
図３は、情報端末装置１の構成を示すブロック図である。図３において、入力操作部１１は、複数の操作キー４及び液晶表示装置３の表示画面３ａに重ねられたタッチパネル等を備え、各操作キー４に対する入力指示を検出したり、液晶表示装置３の表示画面３ａ上の操作ボタンに対する入力指示をタッチパネルを介して検出し、その入力指示された操作キーや操作ボタンを示す操作信号を出力する。
【００３５】
記憶部１２は、ＲＡＭ、ＲＯＭ、ＨＤＤ等からなり、各種のプログラムやデータ等を記憶する。制御部１４は、ＣＰＵ、各種のインターフェース等を備え、情報端末装置１を統括的に制御する。例えば、制御部１４は、プログラムを記憶部１２から読み出して実行し、操作キー４や表示画面３ａ上の操作ボタンに対する入力指示を示す操作信号を入力操作部１１から入力して、この操作信号に応答してプログラムの処理を進めつつ、この処理の進行状況や結果等を表示画面３ａに表示する。より具体的には、情報端末装置１が電子手帳である場合は、テキストを作成するためのプログラムを記憶部１２から読出して実行し、操作キー４や表示画面３ａ上の操作ボタンの操作により入力された文字等を表示画面３ａに表示して、表示画面３ａ上にテキスト等のコンテンツを作成し、このコンテンツを記憶部１２に記憶したり、操作キー４や表示画面３ａ上の操作ボタンに対する入力指示に応答して記憶部１２からテキスト等のコンテンツを読み出して表示画面３ａに表示する。また、情報端末装置１が電子辞書である場合は、辞書を検索するためのプログラムを記憶部１２から読出して実行し、操作キー４や表示画面３ａ上の操作ボタンの操作により入力された単語を表示画面３ａに表示し、この単語に対応するコンテンツを記憶部１２内の単語データベースで検索し、このコンテンツを表示画面３ａに表示する。
【００３６】
また、制御部１４は、操作キー４や表示画面３ａ上の操作ボタンに対する入力指示に応答して表示画面３ａのコンテンツをスクロール表示させる。情報端末装置１が携帯型のものであって、表示画面３ａのサイズが小さく、コンテンツ全体を表示画面３ａに一度で表示することができない。このため、表示画面３ａのコンテンツをスクロール表示させる必要がある。
【００３７】
図４は、本実施形態の複写システムにおける画像形成装置Ａを示す断面図である。画像形成装置Ａは、スキャナ機能、複写機能、プリンタ機能、及びファクシミリ機能等を有する所謂複合機であり、画像読取り装置５１により読取られた原稿の画像を外部に送信したり、この読取られた原稿の画像又は外部から受信した画像をカラーもしくは単色で記録用紙に記録形成したりする。
【００３８】
画像形成装置Ａは、画像を記録用紙に印刷するべく、光走査装置２１、現像装置２２、感光体ドラム２３、ドラムクリーニング装置２４、帯電器２５、中間転写ベルト装置２６、定着装置２７、用紙搬送経路Ｓ、給紙トレイ２８、及び用紙排出トレイ２９等を備えている。
【００３９】
画像形成装置Ａにおいて扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。このため、現像装置２２、感光体ドラム２３、ドラムクリーニング装置２４、及び帯電器２５は、各色に応じた４種類のトナー像を形成するようにそれぞれ４個ずつ設けられ、それぞれがブラック、シアン、マゼンタ、及びイエローに対応付けられて、４つの画像ステーションＰａ、Ｐｂ、Ｐｃ、Ｐｄが構成されている。
【００４０】
各感光体ドラム２３は、それらの表面に光感光層を有している。各帯電器２５は、それぞれの感光体ドラム２３の表面を所定の電位に均一に帯電させるための帯電手段であり、接触型であるローラ型やブラシ型の帯電器のほか、チャージャー型の帯電器が用いられる。
【００４１】
光走査装置２１は、レーザダイオード及び反射ミラーを備えたレーザスキャニングユニット（ＬＳＵ）であり、帯電された各感光体ドラム２３表面を画像データに応じて露光して、それらの表面に画像データに対応する静電潜像を形成する。
【００４２】
各現像装置２２は、それぞれの感光体ドラム２３表面に形成された静電潜像を各色のトナーにより現像し、これらの感光体ドラム２３表面にトナー像を形成する。各ドラムクリーニング装置２４は、現像及び画像転写後にそれぞれの感光体ドラム２３表面に残留したトナーを除去及び回収する。
【００４３】
中間転写ベルト装置２６は、各感光体ドラム２３の上方に配置されており、中間転写ベルト３１、中間転写ベルト駆動ローラ３２、従動ローラ３３、４つの中間転写ローラ３４、及びベルトクリーニング装置３５を備えている。
【００４４】
中間転写ベルト３１は、フィルムを無端ベルト状に形成したものである。中間転写ベルト駆動ローラ３２、従動ローラ３３、各中間転写ローラ３４等は、中間転写ベルト３１を張架して支持し、中間転写ベルト３１を矢印Ｃ方向に周回移動させる。
【００４５】
各中間転写ローラ３４は、中間転写ベルト３１近傍に回転可能に支持され、中間転写ベルト３１を介してそれぞれの感光体ドラム２３に押圧されている。各感光体ドラム２３表面のトナー像が中間転写ベルト３１に順次重ねて転写されて、中間転写ベルト３１上にカラーのトナー像が形成される。各感光体ドラム２３から中間転写ベルト３１へのトナー像の転写は、中間転写ベルト３１裏面に圧接されている各中間転写ローラ３４によって行われる。各中間転写ローラ３４には、トナー像を転写するために高電圧の転写バイアス（トナーの帯電極性（−）とは逆極性（＋）の高電圧）が印加されており、その導電性の弾性材により高電圧が記録用紙に対して均一に印加される。
【００４６】
こうして各感光体ドラム２３表面のトナー像は、中間転写ベルト３１で転写積層され、画像データによって示されるカラーのトナー像となる。このカラーのトナー像は、中間転写ベルト３１と共に搬送され、中間転写ベルト３１と二次転写装置３６の転写ローラ３６ａ間のニップ域で記録用紙上に転写される。
【００４７】
二次転写装置３６の転写ローラ３６ａには、中間転写ベルト３１上のカラーのトナー像を記録用紙に転写させるための電圧（トナーの帯電極性（−）とは逆極性（＋）の高電圧）が印加されている。
【００４８】
また、二次転写装置３６によって中間転写ベルト３１上のトナー像が記録用紙上に完全に転写されず、中間転写ベルト３１表面にトナーが残留することがあり、この残留トナーが次工程でトナーの混色を発生させる原因となる。このため、ベルトクリーニング装置３５によって中間転写ベルト３１表面の残留トナーを除去及び回収する。
【００４９】
記録用紙は、中間転写ベルト３１と二次転写装置３６の転写ローラ３６ａ間のニップ域でカラーのトナー像を転写された後、定着装置２７へと搬送される。定着装置２７は、加熱ローラ４１及び加圧ローラ４２等を備えており、加熱ローラ４１と加圧ローラ４２間に記録用紙を挟み込んで搬送する。
【００５０】
加熱ローラ４１は、図示しない温度検出器の検出出力に基づき、所定の定着温度となるように制御されており、加圧ローラ４２と共に記録用紙を熱圧着することにより、記録用紙に転写されたカラーのトナー像を溶融、混合、圧接し、記録用紙に対して熱定着させる。
【００５１】
また、画像形成装置Ａの下部には、記録用紙を供給する給紙トレイ２８が設けられている。画像形成装置Ａには、給紙トレイ２８から供給された記録用紙を二次転写装置３６や定着装置２７を経由させて用紙排出トレイ２９に送るための、用紙搬送経路Ｓが設けられている。
【００５２】
給紙トレイ２８の端部には用紙ピックアップローラ４３が設けられており、この用紙ピックアップローラ４３により給紙トレイ２８から記録用紙が１枚ずつ引き出されて用紙搬送経路Ｓへと搬送される。ここでは、１つの給紙トレイ２８を例示しているが、複数の給紙トレイ２８を設けて、複数種のサイズの記録用紙を各給紙トレイ２８に収容しておき、各給紙トレイ２８のいずれかより必用なサイズの記録用紙を給紙する。
【００５３】
用紙搬送経路Ｓに沿って、用紙レジストローラ４４、定着装置２７、搬送ローラ４５、及び排紙ローラ４６等が配置されている。搬送ローラ４５は、記録用紙の搬送を促進補助するための小型のローラであり、複数組設けられている。
【００５４】
用紙レジストローラ４４は、搬送されて来た記録用紙を一旦停止させて、記録用紙の先端を揃え、中間転写ベルト３１と二次転写装置３６の転写ローラ３６ａ間のニップ域で中間転写ベルト３１上のカラーのトナー像が記録用紙に転写されるように、各感光体ドラム２３及び中間転写ベルト３１の回転にあわせて、記録用紙をタイミングよく搬送する。
【００５５】
更に、記録用紙は、定着装置２７でカラーのトナー像を定着され、定着装置２７を通過した後、排紙ローラ４６によって用紙排出トレイ２９上にフェイスダウンで排出される。
【００５６】
また、記録用紙の表面だけではなく、裏面の印字を行う場合は、記録用紙を排紙ローラ４６により搬送する途中で、排紙ローラ４６を停止させてから逆回転させ、記録用紙を反転経路Ｓｒに通して、記録用紙の表裏を反転させ、記録用紙を用紙レジストローラ４４へと導き、記録用紙の表面と同様に、記録用紙の裏面に画像を記録して定着し、記録用紙を用紙排紙トレイ２９に排出する。
【００５７】
次に、画像形成装置Ａの本体上部に搭載されている画像読取り装置５１について説明する。画像読取り装置５１は、読取り本体部５１ａと、原稿搬送部５１ｂとを備えている。原稿搬送部５１ｂは、その奥一辺をヒンジ（図示せず）により読取り本体部５１ａの奥一辺に枢支され、その手前部分を上下させることにより開閉される。原稿搬送部５１ｂを開いて、読取り本体部５１ａの透明なガラス等からなる原稿載置板５４を開放させ、原稿載置板５４上に原稿を載置し、この後に原稿搬送部５１ｂを閉じる。
【００５８】
読取り本体部５１ａは、原稿載置板５４、第１走査ユニット５５、第２走査ユニット５６、結像レンズ５７、及びＣＣＤ（Charge Coupled Device）５８等を備えている。第１走査ユニット５５は、光源６１及び第１反射ミラー６２を備えており、副走査方向Ｙに原稿サイズに応じた距離だけ一定速度Ｖで移動しながら、原稿載置板５４上の原稿を光源６１によって露光し、その反射光を第１反射ミラー６２により反射して第２走査ユニット５６へと導き、これにより原稿表面の画像を副走査方向Ｙに走査する。第２走査ユニット５６は、第２及び第３反射ミラー６３、６４を備えており、第１走査ユニット５５に追従して速度Ｖ／２で移動しつつ、原稿からの反射光を第２及び第３反射ミラー６３、６４により反射して結像レンズ５７へと導く。結像レンズ５７は、原稿からの反射光をＣＣＤ５８に集光して、原稿表面の画像をＣＣＤ５８上に結像させる。ＣＣＤ５８は、原稿の画像を繰り返し主走査方向（副走査方向Ｙと直交する方向）に走査し、その度に、１主走査ラインのアナログ画像信号を出力する。
【００５９】
また、画像読取り装置５１では、シートスルー方式により原稿画像を読取ることができる。このシートスルー方式では、原稿搬送部５１ｂにより原稿を副走査方向Ｙに搬送しつつ、読取り本体部５１ａにより原稿表面の画像を読取る。この場合は、原稿搬送部５１ｂを閉じた状態で、第１走査ユニット５５を原稿読取りガラス６５下方の読取り定位置に移動させ、第１走査ユニット５５の位置に応じて第２走査ユニット５６を位置決めし、この状態で、原稿搬送部５１ｂによる原稿の搬送を開始する。
【００６０】
原稿搬送部５１ｂでは、ピックアップローラ６６を原稿トレイ６７上の原稿に押し当て回転させて、原稿を引き出し、原稿を原稿搬送路６８を通じて搬送し、原稿を原稿読取りガラス６５と読取りガイド板６９間に通過させ、更に原稿を排紙ローラ７１から排紙トレイ７２へと搬送する。原稿搬送路６８に沿って、原稿をその先端を揃えてから搬送するレジストローラ７３や、原稿を搬送する搬送ローラ７４が配置されている。
【００６１】
この原稿の搬送に際し、第１走査ユニット５５の光源６１により原稿表面を原稿読取りガラス６５を介して照明し、原稿表面からの反射光を第１及び第２走査ユニット５５、５６の各反射ミラーにより結像レンズ５７へと導き、原稿表面からの反射光を結像レンズ５７によりＣＣＤ５８に集光させ、原稿表面の画像をＣＣＤ５８上に結像させ、これにより原稿表面の画像を読取る。
【００６２】
また、原稿の裏面を読取る場合は、中間トレイ７７をその軸周りで点線で示すように回転させておき、原稿を排紙ローラ７１から排紙トレイ７２へと排出する途中で、排紙ローラ７１を停止させて、原稿を中間トレイ７７上に受け、排紙ローラ７１を逆回転させて、原稿を反転搬送路７８を介してレジストローラ７３へと導いて、原稿の表裏を反転させ、原稿表面の画像と同様に、原稿裏面の画像を読取り、中間トレイ７７を実線で示す元の位置に戻して、原稿を排紙ローラ７１から排紙トレイ７２へと排出する。
【００６３】
こうしてＣＣＤ５８により読取られた原稿の画像は、ＣＣＤ５８からアナログ画像信号として出力され、このアナログ画像信号がデジタル画像信号（画像データ）にＡ／Ｄ変換される。そして、この画像データは、種々の画像処理を施されて画像形成装置Ａの光走査装置２１へと送受され、画像形成装置Ａにおいて画像が記録用紙に記録され、この記録用紙が複写原稿として出力される。
【００６４】
図５は、画像形成装置Ａの構成を示すブロック図である。図５において、印刷部８１は、図１における光走査装置２１、現像装置２２、感光体ドラム２３、ドラムクリーニング装置２４、帯電器２５、中間転写ベルト装置２６、定着装置２７、用紙搬送経路Ｓ、給紙トレイ２８、及び用紙排出トレイ２９等に相当し、電子写真方式により印刷画像を記録用紙に印刷する。画像処理部８２は、画像データに対して各種の画像処理を施す。
【００６５】
また、入力操作部８３は、複数の操作キー及び液晶表示装置８４の表示画面に重ねられたタッチパネル等を備え、各操作キーに対する入力指示を検出したり、液晶表示装置８４の表示画面上の操作ボタンに対する入力指示をタッチパネルを介して検出し、その入力指示された操作キーや操作ボタンを示す操作信号を出力する。センサ７５は、光学式センサであり、原稿載置板５４上に載置された情報端末装置１を検出する。記憶部８６は、例えばハードディスク装置（ＨＤＤ）であって、種々のデータやプログラムを記憶する。
【００６６】
制御部８７は、画像形成装置Ａを統合的に制御するものであって、ＣＰＵ、ＲＡＭ、ＲＯＭ、各種のインターフェース等からなる。例えば、制御部８７は、プログラムを記憶部８６から読み出して実行し、操作キーや液晶表示装置８４の表示画面上の操作ボタンに対する入力指示を示す操作信号を入力操作部８３から入力して、この操作信号に応答してプログラムの処理を進めつつ、この処理の進行状況や結果等を液晶表示装置８４の表示画面に表示する。また、制御部８７は、画像読取り装置５１を制御して、画像読取り装置５１で原稿の画像を読取らせ、原稿の画像を示す画像データを記憶部８６に記憶したり、画像処理部８２で画像データを処理させ、印刷部８１で記憶部８６内の画像データによって示される原稿の画像を記録用紙に記録させる。
【００６７】
ところで、このような情報端末装置１を利用する上で、液晶表示装置３の表示画面３ａに表示されたコンテンツを記録用紙に印刷して記録したいことがある。従来は、情報端末装置１を有線又は無線でコンピュータ（図示せず）に接続して、コンテンツを情報端末装置１からコンピュータへと送受し、コンテンツをコンピュータからプリンタもしくは複合機等の画像形成装置へと転送して、コンテンツを画像形成装置で印刷していたので、手間と時間を要した。
【００６８】
そこで、本実施形態の印刷システムにおいては、情報端末装置１の表示画面３ａに表示されているコンテンツを画像読取り装置５１で読取って、画像形成装置Ａの印刷部８１でコンテンツを記録用紙に印刷している。これにより、コンテンツの複写を簡単かつ短時間に行うことが可能になる。
【００６９】
詳しくは、情報端末装置１を画像読取り装置５１の原稿載置板５４の定位置に載置して、画像読取り装置５１の第１走査ユニット５５（読取り部）を原稿載置板５４を介して情報端末装置１の表示画面３ａと対峙する位置まで移動させて位置決めし、第１走査ユニット５５の位置に応じて第２走査ユニット５６を位置決めし、第１走査ユニット５５の光源６１により情報端末装置１の表示画面３ａを原稿載置板５４を介して照明し、情報端末装置１の表示画面３ａからの反射光を第１及び第２走査ユニット５５、５６の各反射ミラーにより結像レンズ５７へと導き、この反射光を結像レンズ５７によりＣＣＤ５８に集光させ、情報端末装置１の表示画面３ａのコンテンツをＣＣＤ５８上に結像させて、ＣＣＤ５８により表示画面３ａのコンテンツを読取っている。
【００７０】
また、原稿載置板５４に載置された情報端末装置１の表示画面３ａの縦方向を副走査方向Ｙに一致させ、この状態で情報端末装置１の表示画面３ａのコンテンツが縦方向（副走査方向Ｙ）に移動表示されるような表示制御を行って、コンテンツの副走査方向Ｙの移動速度を画像読取り装置５１のＣＣＤ５８による主走査方向の読取り繰返し速度と同期させている。例えば、画像読取り装置５１のＣＣＤ５８による主走査方向（主走査ライン）の読取りが１回行われる度に、情報端末装置１の表示画面３ａのコンテンツが副走査方向Ｙに１画素分だけ移動するようにコンテンツの副走査方向Ｙの移動速度を調節設定している。これにより、画像読取り装置５１で表示画面３ａのコンテンツを副走査方向Ｙで伸縮させずに読取ることが可能になる。この読取ったコンテンツを示すアナログ信号がＣＣＤ５８から出力され、このアナログ画像信号がデジタル画像信号（画像データ）にＡ／Ｄ変換され、この画像データに種々の画像処理が施されて、この画像データが画像形成装置Ａの光走査装置２１へと送受され、画像形成装置Ａにおいてコンテンツが記録用紙に記録され、この記録用紙が複写原稿として出力される。
【００７１】
図６（ａ）、（ｂ）は、情報端末装置１を画像読取り装置５１の原稿載置板５４の定位置に載置した状態を示す平面図及び側面図である。図６（ａ）に示すように原稿載置板５４における副走査開始側の一辺５４ａに情報端末装置１の本体筐体２の先端２ａを重ね合わせると共に、原稿載置板５４の中央位置を表す印５４ｂに情報端末装置１の本体筐体２の中心を一致させて、原稿載置板５４上に情報端末装置１の本体筐体２を位置決めする。従って、原稿載置板５４の一辺５４ａ及び印５４ｂが情報端末装置１を位置決めするための指標として用いられる。
【００７２】
この状態では、原稿載置板５４の一辺５４ａ及び印５４ｂに対する情報端末装置１の表示画面３ａの位置が特定される。
【００７３】
ここで、利用者は、情報端末装置１を原稿載置板５４の定位置に載置する前に、入力操作により情報端末装置１の型番を入力指示する。また、図６（ｂ）に示すように原稿載置板５４の下方にはセンサ７５が設けられており、センサ７５により原稿載置板５４上の情報端末装置１が検出される。制御部８７は、センサ７５の検出出力に基づき情報端末装置１が載置されたと判定し、この判定をなすと、入力指示された情報端末装置１の型番に基づき本体筐体２における表示画面３ａの位置を求め、原稿載置板５４の一辺５４ａ及び印５４ｂに対する情報端末装置１の表示画面３ａの位置を特定する。
【００７４】
例えば、記憶部８６には、図７に示すように複数種の情報端末装置の型番と各情報端末装置の本体筐体における表示画面の位置とを対応付けて記録した表示画面位置データテーブル９１が記憶されており、制御部８７は、表示画面位置データテーブル９１から各情報端末装置の型番を読出して液晶表示装置８４の表示画面に表示する。そして、制御部８７は、利用者により情報端末装置１の型番が液晶表示装置８４の表示画面上で入力指示されると、表示画面位置データテーブル９１の各情報端末装置の型番を参照して、入力指示された型番に対応する情報端末装置の本体筐体における表示画面の位置を選択して求め、原稿載置板５４の一辺５４ａ及び印５４ｂに対する情報端末装置の表示画面の位置を特定する。これにより、複数種の情報端末装置のいずれが原稿載置板５４上に載置されても、原稿載置板５４の一辺５４ａ及び印５４ｂに対する情報端末装置の表示画面の位置を特定することができる。
【００７５】
こうして制御部８７は、原稿載置板５４の一辺５４ａ及び印５４ｂに対する情報端末装置１の表示画面３ａの位置を特定すると、画像読取り装置５１を制御して、第１走査ユニット５５（読取り部）を原稿載置板５４を介して表示画面３ａと対峙する位置まで副走査方向Ｙに移動させ、第１走査ユニット５５を表示画面３ａと対峙する位置に位置決めし、第１走査ユニット５５の位置に応じて第２走査ユニット５６を位置決めする。詳しくは、第１走査ユニット５５を後で述べる表示画面３ａの細長い矩形状窓領域３ｂと対峙する位置に位置決めし、その位置に応じて第２走査ユニット５６を位置決めする。
【００７６】
例えば、第１走査ユニット５５が既知のホームポジションに位置決めされているものとすると、ホームポジションから情報端末装置１の表示画面３ａの細長い矩形状窓領域３ｂまでの移動距離（ホームポジションに対する表示画面３ａの細長い矩形状窓領域３ｂの位置）を情報端末装置１の型番に対応付けて表示画面位置データテーブル９１に記録しておき、情報端末装置１の型番に対応する移動距離を表示画面位置データテーブル９１から読出し、第１走査ユニット５５をホームポジションからその読出した移動距離だけ移動させて、第１走査ユニット５５を表示画面３ａの細長い矩形状窓領域３ｂと対峙する位置に位置決めする。
【００７７】
尚、図８に示すような原稿載置板５４の中央を表す矢印５４ｃを印してもよい。これにより、情報端末装置１の位置をより明確に指示することができる。
【００７８】
図９は、情報端末装置１の表示画面３ａにおけるコンテンツの移動表示形態を例示する図である。情報端末装置１の制御部１４は、図９に示すように液晶表示装置３の表示画面３ａ上に細長い矩形状窓領域３ｂを形成し、細長い矩形状窓領域３ｂにコンテンツの部分を表示し、コンテンツの表示画面縦方向（副走査方向Ｙ）への移動に伴って細長い矩形状窓領域３ｂに表示されるコンテンツ部分が順次変更されるような表示制御を行って、コンテンツを移動表示する。
【００７９】
情報端末装置１の細長い矩形状窓領域３ｂには少なくとも主走査方向１列の各画素の諧調を表示すればよく、画像読取り装置５１のＣＣＤ５８により該領域３ｂにおける主走査方向１列の各画素の諧調を読取ることが可能であればよい。例えば、コンテンツにおける主走査方向１列目の各画素の諧調を細長い矩形状窓領域３ｂに表示し、次に主走査方向２列目の各画素の諧調を細長い矩形状窓領域３ｂに表示し、以降、主走査方向３列目、４列目、……、ｎ列目、……、最後列の各画素の諧調という順序で表示する。
【００８０】
また、情報端末装置１の細長い矩形状窓領域３ｂにおいて、各画素の副走査方向Ｙの幅を広く設定するのが好ましい。例えば、主走査方向の各列毎に、１列の各画素の諧調を副走査方向２画素以上の幅で表示する。この場合は、主走査方向１列の各画素の表示範囲が副走査方向Ｙに広くなっていることから、この表示範囲にＣＣＤ５８により読取られる主走査ラインが重なり易くなり、ＣＣＤ５８により主走査方向１列の各画素の諧調がより確実に読取られる。
【００８１】
あるいは、コンテンツにおける主走査方向２列以上の各画素を細長い矩形状窓領域３ｂに表示し、各列を副走査方向に移動しつつ、各列を１列ずつ更新してもよい。すなわち、細長い矩形状窓領域３ｂにおいて主走査方向２列以上の各画素を副走査方向にスクロール表示する。
【００８２】
また、情報端末装置１では、画像読取り装置５１のＣＣＤ５８による主走査方向（主走査ライン）の読取りが１回行われる度に、表示画面３ａの細長い矩形状窓領域３ｂに表示されているコンテンツ部分が副走査方向Ｙに１画素分だけ切替わるようにコンテンツの副走査方向Ｙの移動表示速度を調節設定して、情報端末装置１によるコンテンツの移動表示速度を画像読取り装置５１による読取り速度と同期させている。これにより、画像読取り装置５１で表示画面３ａのコンテンツを副走査方向Ｙで伸縮させずに読取ることが可能になる。
【００８３】
画像読取り装置もしくは画像形成装置の種類により、主走査方向の読取り繰返し速度が異なることから、画像読取り装置もしくは画像形成装置の種類に応じて情報端末装置１によるコンテンツの移動表示速度を調節設定する必要がある。このため、情報端末装置１では、各種の画像読取り装置もしくは画像形成装置の型番とそれぞれの移動表示速度とを対応付けた移動表示速度データテーブルを記憶部１２に予め記憶している。
【００８４】
例えば、上記移動表示速度データテーブルは、図１０に示すように構成されている。図１０の移動表示速度データテーブル９２では、各種の画像読取り装置もしくは画像形成装置の型番に対応付けてそれぞれの移動表示速度を記録している。
【００８５】
制御部１４は、移動表示速度データテーブル９２を参照して、各種の画像読取り装置もしくは画像形成装置の型番を表示画面３ａに表示し、利用者が表示画面３ａ上で型番を選択すると、この選択した型番に対応する移動表示速度を移動表示速度データテーブル９２から選択して読取り、この選択した移動表示速度を情報端末装置１の表示画面３ａ上のコンテンツの移動表示速度として設定する。
【００８６】
一方、本実施形態の印刷システムでは、コンテンツだけでなく、情報端末装置１により制御情報を表示画面３ａに表示し、画像読取り装置５１により表示画面３ａの制御情報を読取って、この制御情報に応じて画像読取り装置５１によるコンテンツの読取り動作の開始や終了、あるいは画像形成装置Ａによるコンテンツの処理等を行っている。制御情報は、表示画面３ａの細長い矩形状窓領域３ｂにコードとして表示することができ、コードを主走査方向１列の各画素の諧調で表すことができる。
【００８７】
例えば、情報端末装置１の制御部１４は、コンテンツの移動表示を開始する直前に、コンテンツの移動表示開始を示す制御情報を細長い矩形状窓領域３ｂに表示し、この直後にコンテンツの移動表示を開始する。画像形成装置Ａでは、制御情報を画像読取り装置５１で読取って制御部８７に入力し、これに応答して制御部８７は、画像読取り装置５１によるコンテンツの読取りを開始する。これにより、情報端末装置１によるコンテンツの移動表示の開始タイミングと、画像読取り装置５１によるコンテンツの読取り開始タイミングとを一致させることができる。
【００８８】
また、情報端末装置１の制御部１４は、コンテンツの移動表示を終了すると、コンテンツの移動表示終了を示す制御情報を細長い矩形状窓領域３ｂに表示する。画像形成装置Ａでは、制御情報を画像読取り装置５１で読取って制御部８７に入力し、これに応答して制御部８７は、画像読取り装置５１によるコンテンツの読取りを終了する。これにより、情報端末装置１によるコンテンツの移動表示の終了に合わせて、画像読取り装置５１によるコンテンツの読取りを終了することができる。
【００８９】
更に、複数頁のコンテンツがある場合、情報端末装置１の制御部１４は、頁毎に、頁の終了を示す制御情報を細長い矩形状窓領域３ｂに表示する。画像形成装置Ａでは、制御情報を画像読取り装置５１で読取って制御部８７に入力し、これに応答して制御部８７は、画像読取り装置５１による１頁のコンテンツの読取りを終了させ、画像読取り装置５１による次の頁のコンテンツの読取りを開始させる。これにより、各頁のコンテンツを順次読取ることができる。
【００９０】
また、コンテンツの主走査方向の幅が表示画面３ａの細長い矩形状窓領域３ｂの主走査方向の幅よりも広い場合、情報端末装置１の制御部１４は、コンテンツ全体を複数のコンテンツ片に分割して、各コンテンツ片別に、コンテンツ片を表示画面３ａの細長い矩形状窓領域３ｂに表示し、各コンテンツ片の合成手順（後で述べる改行）を示す制御情報を細長い矩形状窓領域３ｂに表示する。画像形成装置Ａでは、画像読取り装置５１により各コンテンツ片及び制御情報を読取り、制御情報に基づき各コンテンツ片を合成して、コンテンツ全体を形成し、コンテンツ全体を記録用紙に記録する。
【００９１】
例えば、図１１（ａ）に示すようなコンテンツ９３を図１１（ｂ）に示すように３つのコンテンツ片９３ａ、９３ｂ、９３ｃに分割する。各コンテンツ片９３ａ〜９３ｃの主走査方向の幅ｒは、表示画面３ａの細長い矩形状窓領域３ｂの主走査方向の幅ｕと略同一である。このため、各コンテンツ片９３ａ〜９３ｃのいずれも、表示画面３ａの細長い矩形状窓領域３ｂに副走査方向Ｙに移動表示して、コンテンツ片全体を表示することができる。
【００９２】
情報端末装置１の制御部１４は、コンテンツ９３を各コンテンツ片９３ａ〜９３ｃに分割し、まず図１２（ａ）に示すようにコンテンツの移動表示開始を示す制御情報を細長い矩形状窓領域３ｂに表示してから、コンテンツ片９３ａを細長い矩形状窓領域３ｂに副走査方向Ｙに移動表示し、コンテンツ片９３ａの移動表示終了のタイミングで改行を示す制御情報を細長い矩形状窓領域３ｂに表示し、引き続いて図１２（ｂ）に示すようにコンテンツ片９３ｂを副走査方向Ｙに移動表示し、コンテンツ片９３ｂの移動表示終了のタイミングで改行を示す制御情報を表示し、更に図１２（ｃ）に示すようにコンテンツ片９３ｃを副走査方向Ｙに移動表示し、コンテンツ片９３ｃの移動表示終了のタイミングでコンテンツの移動表示終了を示す制御情報を表示する。
【００９３】
画像読取り装置５１では、コンテンツの移動表示開始を示す制御情報を読取ってから、コンテンツ片９３ａを読取って、コンテンツ片９３ａの移動表示終了のタイミングで改行を示す制御情報を読取り、引き続いてコンテンツ片９３ｂを読取って、コンテンツ片９３ｂの移動表示終了のタイミングで改行を示す制御情報を読取り、更にコンテンツ片９３ｃを読取って、コンテンツ片９３ｃの移動表示終了のタイミングでコンテンツの移動表示終了を示す制御情報を読取る。
【００９４】
画像形成装置Ａの制御部８７は、コンテンツの移動表示開始を示す制御情報を入力すると、コンテンツの読取りの開始を判定して、最初のコンテンツ片９３ａを示す画像データを入力し、図１２（ｄ）に示すように記憶部８６内のページメモリ９４の第１行目から第ｎ行目にコンテンツ片９３ａの画像データを順次記憶し、引き続いて改行を示す制御情報を入力すると、次のコンテンツ片の読取りの開始を判定して、次のコンテンツ片９３ｂを示す画像データを入力し、図１２（ｅ）に示すように第（ｎ＋１）行目から第ｍ行目に次のコンテンツ片９３ａの画像データを順次記憶し、更に改行を示す制御情報を入力すると、次のコンテンツ片の読取りの開始を判定して、次のコンテンツ片９３ｃを示す画像データを入力し、図１２（ｆ）に示すように第（ｍ＋１）行目から第ｐ行目に次のコンテンツ片９３ｃの画像データを順次記憶し、コンテンツの移動表示終了を示す制御情報を入力すると、コンテンツの読取りの終了を判定して、各コンテンツ片９３ａ〜９３ｃからなるコンテンツ９３の合成を終了する。これにより、ページメモリ９４において各コンテンツ片９３ａ〜９３ｃがコンテンツ９３に合成される。このコンテンツ９３を示す画像データは、印刷部８１で記録用紙に記録される。
【００９５】
更に、制御情報として、コンテンツが記録される記録用紙のサイズを示すものを用いてもよい。
【００９６】
次に、図６（ａ）、（ｂ）に示すように情報端末装置１を画像形成装置Ａの画像読取り装置５１にセットして、画像読取り装置５１により情報端末装置１の表示画面３ａに表示されているコンテンツを読取り、画像形成装置Ａによりそのコンテンツを記録用紙に印刷して記録する手順を整理して説明する。
【００９７】
まず、図１３のフローチャートを参照しつつ、情報端末装置１の表示画面３ａ上でコンテンツを移動表示するための情報端末装置１側の手順を説明する。
【００９８】
利用者は、情報端末装置１の操作キー４や表示画面３ａ上の操作ボタンを操作して、液晶表示装置３の表示画面３ａ上でコンテンツを作成して表示したり、記憶部１２からコンテンツを読出して表示画面３ａに表示する。
【００９９】
コンテンツは、その全体が表示画面３ａに一括的に表示可能であっても表示不可能であってもよい。コンテンツ全体が一括的に表示されていなくても、表示画面３ａ上でコンテンツが移動表示されるためである。
【０１００】
この状態で、操作キー４や表示画面３ａ上の操作ボタンを操作して、コンテンツの複写モードを指示する（ステップＳ１０１）。これに応答して制御部１４は、コンテンツの複写モードを設定し、表示画面３ａ上のコンテンツを一旦消去し、図１０の移動表示速度データテーブル９２を参照して、各種の画像読取り装置もしくは画像形成装置の型番を表示画面３ａに表示する（ステップＳ１０２）。このとき、利用者が表示画面３ａ上で型番を選択すると、制御部１４は、その選択した型番に対応する移動表示速度を移動表示速度データテーブル９２から選択して読取り、この選択した移動表示速度を表示画面３ａ上のコンテンツの副走査方向Ｙの移動表示速度として設定する。これにより、コンテンツの副走査方向Ｙの移動表示速度が画像読取り装置５１による読取り速度と同期するように調節される。
【０１０１】
また、制御部１４は、表示画面３ａの細長い矩形状窓領域３ｂの主走査方向の幅ｕとコンテンツの主走査方向の幅とを比較し、この比較に基づき制御情報を設定する。例えば、コンテンツの主走査方向の幅が細長い矩形状窓領域３ｂの主走査方向の幅ｕよりも狭ければ、コンテンツを分割する必要がないことから、コンテンツの移動表示開始を示す制御情報と移動表示終了を示す制御情報だけを設定する。また、コンテンツの主走査方向の幅が細長い矩形状窓領域３ｂの主走査方向の幅ｕよりも広ければ、コンテンツ全体を複数のコンテンツ片に分割して、コンテンツ片の主走査方向の幅が細長い矩形状窓領域３ｂの主走査方向の幅ｕよりも狭くなるように設定し、コンテンツの移動表示開始を示す制御情報、コンテンツ片と次のコンテンツ片間の改行を示す制御情報、及びコンテンツの移動表示終了を示す制御情報を設定する。更に、制御部１４は、頁の終了を示す制御情報や記録用紙のサイズを示す制御情報を設定する。
【０１０２】
利用者は、先に述べたようにコンテンツの複写モードを指示すると、この後で画像読取り装置５１の原稿搬送部５１ｂを開き、情報端末装置１の表裏を反転させて、表示画面３ａを下方に向け、表示画面３ａを原稿載置板５４に重ね合わせ、情報端末装置１を原稿載置板５４の定位置に載置して、画像読取り装置５１による読取りの副走査方向Ｙと情報端末装置１の表示画面３ａの縦方向を一致させる。そして、利用者は、操作キー４の操作により複写の開始を指示する。これに応答して制御部１４は、表示画面３ａへのコンテンツ及び制御情報の表示を開始する（ステップＳ１０３）。尚、複写の開始を指示する操作キー４は、情報端末装置１を原稿載置板５４に載置した状態で操作し得るものとする。例えば、情報端末装置１の本体筐体２の側部に配置された操作キーを用いる。
【０１０３】
次に、図１４のフローチャートを参照しつつ、情報端末装置１の表示画面３ａに表示されているコンテンツを画像読取り装置５１で読取って画像形成装置Ａで記録用紙に印刷するための画像形成装置Ａ側の手順を説明する。
【０１０４】
利用者は、画像形成装置Ａの入力操作部８３を操作して、情報端末装置１の表示画面３ａに表示されているコンテンツの複写モードを指示する（ステップＳ２０１）。これに応答して制御部８７は、コンテンツの複写モードを設定し、図７のデータテーブル９１を参照して、各情報端末装置の型番を液晶表示装置８４の表示画面に表示する（ステップＳ２０２）。利用者は、液晶表示装置８４の表示画面上で情報端末装置１の型番を入力指示する。また、利用者は、情報端末装置１を原稿載置板５４の定位置に載置する（ステップＳ２０３）。
【０１０５】
このとき、センサ７５により原稿載置板５４上の情報端末装置１が検出される（ステップＳ２０４）。制御部８７は、センサ７５の検出出力に基づき情報端末装置１が載置されたと判定し、この判定をなすと、入力指示された情報端末装置１の型番に基づき本体筐体２における表示画面３ａの位置を求め、原稿載置板５４の一辺５４ａ及び印５４ｂに対する情報端末装置１の表示画面３ａの位置を特定する（ステップＳ２０５）。
【０１０６】
そして、制御部８７は、画像読取り装置５１を制御して、第１走査ユニット５５（読取り部）を原稿載置板５４を介して表示画面３ａの細長い矩形状窓領域３ｂと対峙する位置まで副走査方向Ｙに移動させ、第１走査ユニット５５を表示画面３ａの細長い矩形状窓領域３ｂと対峙する位置に位置決めし、第１走査ユニット５５の位置に応じて第２走査ユニット５６を位置決めする（ステップＳ２０６）。
【０１０７】
この状態で、利用者が情報端末装置１の操作キー４の操作により複写の開始を指示し、情報端末装置１の表示画面３ａへのコンテンツ及び制御情報の表示が開始される。
【０１０８】
画像読取り装置５１では、情報端末装置１の表示画面３ａの細長い矩形状窓領域３ｂに表示されたコンテンツ及び制御情報を画像読取り装置５１で読取って制御部８７に入力し（ステップＳ２０７）、制御部８７は、コンテンツ及び制御情報のいずれを読取ったのかを判定する（ステップＳ２０８）。例えば、制御部８７は、制御情報を読取ったと判定すると（ステップＳ２０８で「Ｙｅｓ」）、制御情報を解析して（ステップＳ２０９）、制御情報によって示される処理を行う（ステップＳ２１０）。
【０１０９】
例えば、制御情報によってコンテンツの移動表示開始が示されている場合、制御部８７は、制御情報がコンテンツの移動表示終了でないことから（ステップＳ２１１で「Ｎｏ」）、ステップＳ２０８に戻って、制御情報の読取り直後から、画像読取り装置５１によるコンテンツもしくはコンテンツ片の読取りを開始し、コンテンツもしくはコンテンツ片を読取ると（ステップＳ２０８で「Ｎｏ」）、コンテンツもしくはコンテンツ片をページメモリ９４に記憶する（ステップＳ２１２）。また、制御情報によって改行が示されている場合、制御部８７は、ステップＳ２１１を介してステップＳ２０８に戻り、画像読取り装置５１によるコンテンツ片の読取りを待機し、コンテンツ片を読取ると（ステップＳ２０８で「Ｎｏ」）、コンテンツ片をページメモリ９４に記憶して、先に述べたように複数のコンテンツ片を合成する（ステップＳ２１２）。更に、制御情報によって頁の終了が示されている場合、制御部８７は、ステップＳ２１１を介してステップＳ２０８に戻り、画像読取り装置５１による次頁のコンテンツもしくはコンテンツ片の読取りを待機し、次頁のコンテンツもしくはコンテンツ片を読取ると（ステップＳ２０８で「Ｎｏ」）、次頁のコンテンツもしくはコンテンツ片を次のページメモリ９４に記憶する（ステップＳ２１２）。また、制御情報によって記録用紙のサイズが示されている場合、制御部８７は、印刷部８１でコンテンツの記録に用いられる記録用紙を制御情報によって示されるサイズのものに設定する。こうしてコンテンツがページメモリ９４に記憶されると、このコンテンツが印刷部８１で記録用紙に印刷される。
【０１１０】
また、制御情報によってコンテンツの移動表示終了が示されている場合、制御部８７は、制御情報がコンテンツの移動表示終了であることから（ステップＳ２１１で「Ｙｅｓ」）、ステップＳ２０１で設定した複写モードを解除して、情報端末装置１の表示画面３ａのコンテンツを読取って記録用紙に記録するという複写処理を終了し、コンテンツの読取り終了の旨を液晶表示装置８４の表示画面に表示する（ステップＳ２１３）。
【０１１１】
尚、上記実施形態では、情報端末装置１の表示画面３ａ上のコンテンツの移動表示速度を画像読取り装置５１のＣＣＤ５８による主走査方向の読取り繰返し速度と同期させるために、情報端末装置１側でコンテンツの移動表示速度を調節設定しているが、画像読取り装置５１側でＣＣＤ５８による主走査方向の読取り繰返し速度を調節設定しても構わない。この場合は、情報端末装置１の表示画面３ａに副走査方向の移動表示速度を示す制御情報を表示し、画像読取り装置５１により制御情報を読取り、制御情報によって示される移動表示速度に応じてＣＣＤ５８による主走査方向の読取り繰返し速度を調節設定すればよい。
【０１１２】
また、原稿読取りガラス６５は、原稿載置板５４と同等の機能を果たすものであることから、原稿読取りガラス６５に情報端末装置１の表示画面３ａを重ね合わせて、情報端末装置１を載置し、画像読取り装置５１の第１走査ユニット５５（読取り部）を原稿読取りガラス６５を介して表示画面３ａと対峙させ、この状態でＣＣＤ５８により表示画面３ａのコンテンツを読取ることも可能である。
【０１１３】
以上、本発明の実施形態を詳述したが、本発明は、上記実施形態に限定されるものではなく、本発明の要旨を逸脱しない範疇の設計変更等が施されたものであっても、本発明の範囲に含まれる。
【符号の説明】
【０１１４】
１  情報端末装置
２  本体筐体
３  液晶表示装置
３ａ  表示画面
４  操作キー
１１  入力操作部
１２  記憶部
１４  制御部
２１  光走査装置
２２  現像装置
２３  感光体ドラム
２４  ドラムクリーニング装置
２５  帯電器
２６  中間転写ベルト装置
２７  定着装置
２８  給紙トレイ
２９  用紙排出トレイ
５１  画像読取り装置
５１ａ  読取り本体部
５１ｂ  原稿搬送部
５４  原稿載置板
５５  第１走査ユニット（読取り部）
５６  第２走査ユニット
５８  ＣＣＤ
７５  センサ
８１  印刷部
８２  画像処理部
８３  入力操作部
８４  液晶表示装置
８６  記憶部
８７  制御部
Ａ  画像形成装置
【図１】
2012104873.tif 000003
【図２】
2012104873.tif 000004
【図３】
2012104873.tif 000005
【図４】
2012104873.tif 000006
【図５】
2012104873.tif 000007
【図６】
2012104873.tif 000008
【図７】
2012104873.tif 000009
【図８】
2012104873.tif 000010
【図９】
2012104873.tif 000011
【図１０】
2012104873.tif 000012
【図１１】
2012104873.tif 000013
【図１２】
2012104873.tif 000014
【図１３】
2012104873.tif 000015
【図１４】
2012104873.tif 000016